(57)【要約】      （修正有）【課題】拳銃を簡単かつ素早く抜くことができ、かつ砂、水、泥等の侵入を防止することができる拳銃用ホルスタを提供する【解決手段】拳銃５０を収納するケース１１と、ケース１１に収納された拳銃５０の少なくとも撃鉄部５２とケース１１の開口１３を覆うように形成され、かつ、ケース１１を上下方向スライド並びに回動可能に保持するケース本体１２と、ガイド溝２０ａ，２０ｂとガイド溝２０ａ，２０ｂ内をスライドするガイドピン１６ａ，１６ｂを有し、ケース１１が、ケース本体１２に対し上方に配置して拳銃５０の取り出しが不可能となる閉鎖位置から下方に移動した後、拳銃５０の取り出しが可能となる開放位置に向かって上方に移動するのをガイドするガイド部２１と、前記ケース１１がケース本体１２に対して上方に移動する付勢力を付与している圧縮スプリング１９と、を有する。【選択図】図１
2011208849.tif 000002
【特許請求の範囲】
【請求項１】
拳銃を入れる開口を有し、前記開口から挿入された拳銃を収納するケースと、
前記ケースに収納された拳銃の少なくとも撃鉄部と前記開口を覆うように形成され、かつ、前記ケースを上下方向スライド並びに回動可能に保持するケース本体と、
ガイド溝と該ガイド溝内をスライドするガイドピンを有し、前記ケースが、前記ケース本体に対し上方に位置して前記拳銃の取り出しが不可能となる閉鎖位置から下方に移動した後、前記拳銃の取り出しが可能となる開放位置に向かって上方に移動するのをガイドするガイド部と、
前記ケースが前記ケース本体に対して上方に移動する付勢力を付与する付勢部材と、
を有することを特徴とする拳銃用ホルスタ。
【請求項２】
前記ガイド溝は、前記閉鎖位置に対応して配置された前記ケースを前記ケース本体に対して上下方向にスライド案内する第１ガイド溝部と、前記開放位置に対応して配置された前記ケースを前記ケース本体に対して斜め上下方向にスライド案内する第２ガイド溝部を有することを特徴とする請求項１に記載の拳銃用ホルスタ。
【請求項３】
前記ガイド溝は、前記第１ガイド溝部の下端部から前記第２ガイド溝部の下端部分に向かって下る連結ガイド溝部を有して概略上向きコ字形に設けられていることを特徴とする請求項２に記載の拳銃用ホルスタ。
【請求項４】
前記ケース本体には、前記閉鎖位置に配置された前記ケースの開口の縁部と係合されて前記ケースの回動をロックする係合ロック部材が設けられていることを特徴とする請求項１から請求項３のいずれかに記載の拳銃用ホルスタ。
【請求項５】
前記ケース本体は、前記ケースの外形を覆うように形成されていることを特徴とする請求項１から請求項４のいずれかに記載の拳銃用ホルスタ。
【発明の詳細な説明】
【技術分野】
【０００１】
本発明は、拳銃用ホルスタに関する。
【背景技術】
【０００２】
従来、拳銃を収納する拳銃用ホルスタが提案されている（例えば、特許文献１，２参照）。特許文献１の拳銃用ホルスタでは、拳銃を収納する収納部と、収納部に開閉自在に設けられたカバー部とを有し、カバー部には、手を掛けることのできる引っ掛け部が形成されている。この構成によって、片手のみでケースから拳銃を円滑に取り出すことができる。また、特許文献２の拳銃用ホルスタでは、拳銃の脱落を防止するロック装置が拳銃を収納する収納部に設けられたものが提案されている。
【先行技術文献】
【特許文献】
【０００３】
【特許文献１】特開２００６−２９６４５号公報
【特許文献２】特表２００９−５２６１９６号広報
【発明の概要】
【発明が解決しようとする課題】
【０００４】
しかしながら、上記特許文献１の拳銃用ホルスタでは、収納部とカバー部の間に隙間があり、この隙間から砂、水、泥等が浸入しやすいという問題があった。また、片手のみでカバー部を開けることができるが、カバーを開ける動作と拳銃を抜く動作という二つの動作が必要となり、拳銃を簡単かつ素早く抜くことができなかった。
【０００５】
また、特許文献２の拳銃用ホルスタでも、同様に、収納部と拳銃の間の隙間から、砂、水、泥等が浸入しやすいという問題があった。また、ロック装置を外す動作と拳銃を抜く動作という二つの動作が必要となり、拳銃を簡単かつ素早く抜くことができなかった。
【０００６】
そこで、本発明は上記問題点に鑑みなされたものであって、拳銃を簡単かつ素早く抜くことができ、かつ砂、水、泥等の侵入を防止することができる拳銃用ホルスタを提供することを目的とする。
【課題を解決するための手段】
【０００７】
上記課題を解決するために、本発明の拳銃用ホルスタは、拳銃を入れる開口を有し、前記開口から挿入された拳銃を収納するケースと、前記ケースに収納された拳銃の少なくとも撃鉄部と前記開口を覆うように形成され、かつ、前記ケースを上下方向スライド並びに回動可能に保持するケース本体と、前記ケース本体に設けたガイド溝と該ガイド溝内をスライドする前記ケースに設けたガイドピンを有し、前記ケースが、前記ケース本体に対し上方に位置して前記拳銃の取り出しが不可能となる閉鎖位置から下方に移動した後、前記拳銃の取り出しが可能となる開放位置に向かって上方に移動するのをガイドするガイド部と、前記ケースが前記ケース本体に対して上方に移動する付勢力を付与する付勢部材と、を有する。
【０００８】
本発明によれば、閉鎖位置に配置されているケースを拳銃と共に付勢部材の付勢力に抗して所定の位置まで押下し、その押下している力を解くと、ガイド部のガイドによりケース及び拳銃が開放位置側に移動するため、ワンアクションで拳銃を簡単、かつ、素早く抜くことができ、操作性が向上する。
【０００９】
ここで、ケース本体はケースに収納された拳銃と開口を覆うように形成されているため、拳銃の銃口を含め拳銃の重要な機構部分を極力覆うことができ、ケース内への砂、水、泥等の浸入を防止することができる。
【００１０】
さらに、ガイド溝とガイドピンとのスライド係合は、閉鎖位置及び開放位置においてケースがケース本体に対して回動するのをロックし、ケースの不用意な回動を防止することができる。
【００１１】
また、前記ガイド溝は、前記閉鎖位置に対応して配置された前記ケースを前記ケース本体に対して上下方向にスライド案内する第１ガイド溝部と、前記開放位置に対応して配置された前記ケースを前記ケース本体に対して斜め上下方向にスライド案内する第２ガイド溝部を有する、構成にできる。
【００１２】
本発明によれば、ケース及び拳銃の閉鎖位置と開放位置への切り換え操作を、上下方向のスライド操作によるワンアクションで簡単、かつ、素早く行うことができる。
【００１３】
また、前記ガイド溝は、前記第１ガイド溝部の下端部から前記第２ガイド溝部の下端部分に向かって下る連結ガイド溝部を有して概略上向きコ字形に設けられている、構成にできる。
【００１４】
本発明によれば、拳銃と共に閉鎖位置に配置されているケースを付勢部材の付勢力に抗して押下すると、ガイドピンが第１ガイド溝部の下端部と連結ガイド溝部を通って第２ガイド溝部の下端部分まで自動的に移動され、かつ、ケース及び拳銃を押下している力を解くと、ガイドピンが第２ガイド溝部内の移動を開始し、ケース及び拳銃が開放位置へ向かって移動するので、拳銃をさらに簡単、かつ、素早く抜くことができ、操作性がより一層向上する。
【００１５】
また、前記ケース本体には、前記閉鎖位置に配置された前記ケースの開口の縁部と係合されて前記ケースの回動をロックする係合ロック部材が設けられている、構成にできる。
【００１６】
本発明によれば、閉鎖位置において、ケースの開口の縁部が係合ロック部材に係合されてケースのケース本体に対する回動が規制される。したがって、閉鎖位置では、ケースの開口の縁部と係合ロック部材との係合によるロックと、ガイド溝とガイドピンとのスライド係合によるロックの、二重ロックによってケースの回動を確実にロックできる。また、閉鎖位置に拳銃を収納したとき、例えばケース本体の一部が拳銃の突起部と突き当たって係合されるような形状にしておくと、さらに確実なロックが可能となる。
【００１７】
前記ケース本体は、前記ケースの外形を覆うように形成されている、構成にできる。
【００１８】
本発明によれば、前記操作部の外形がケース本体により覆われるので、拳銃の意図しない操作を防止できる。
【発明の効果】
【００１９】
本発明によれば、本発明によれば、ワンアクションで拳銃を簡単かつ素早く抜くことができ、かつ砂、水、泥等の侵入を防止することができる拳銃用ホルスタを提供することができる。
【図面の簡単な説明】
【００２０】
【図１】本発明の拳銃用ホルスタを示す正面図である。
【図２】拳銃を省略して示す図１のＡ−Ａ線拡大断面図である。
【図３】拳銃を省略して示す図１のＢ−Ｂ線拡大断面図である。
【図４】ケースが閉鎖位置にある状態を示す断面図である。
【図５】ケースが閉鎖位置と開放位置との間にある状態を示す断面図である。
【図６】ケースが開放位置にある状態を示す断面図である。
【発明を実施するための形態】
【００２１】
以下、添付図面を参照して、本発明を実施するための形態（以下、実施形態）について詳細に説明する。
【００２２】
図１は本発明の拳銃用ホルスタを示す正面図である。図２は拳銃を省略して示す図１のＡ−Ａ線拡大断面図、図３は拳銃を省略して示す図１のＢ−Ｂ線拡大断面図である。図４乃至図６は図１に示す拳銃用ホルスタのケース本体の一部を切断して示す断面図であり、図４はケースが閉鎖位置にある状態を示す図、図５はケースが閉鎖位置と開放位置との間にある状態を示す図、図６はケースが開放位置にある状態を示す図である。なお、以下の説明において、図１の上下方向上側を拳銃用ホルスタの上方、下側を下方とし、また、右側を開放方向(または後方向)、左側を閉鎖方向(または前方向)として説明する。
【００２３】
まず、拳銃５０について説明する。図１及び図４，図５，図６に示すように、拳銃５０には、グリップ５１と、撃鉄部５２と、銃身５３と、銃口５４と、引き金部５５とが設けられている。拳銃５０のグリップ５１と撃鉄部５２との間には、突起部（凹凸部）５６が形成されている。
【００２４】
次に、拳銃用ホルスタ１０について説明する。拳銃用ホルスタ１０には、拳銃５０の銃身５３を収納するケース１１と、拳銃５０が収納されたケース１１を上下方向にスライド可能、並びに前後方向(開放方向及び閉鎖方向)に回動可能に保持したケース本体１２とが設けられている。
【００２５】
前記ケース１１は、図１及び図２に示すように、底面部１１ａと、前面部１１ｂと、後面部１１ｃと、左右の側面部１１ｄ，１１ｅを有し、かつ、上面に拳銃５０を収納する開口１３を設けて概略箱状を成し、開口１３から挿入された拳銃５０を拳銃５０のグリップ５１が飛び出した状態で収納できるように形成されている。したがって、ケース１１は、撃鉄部５２を除いた銃身５３、銃口５４、引き金５５等の重要機構部分を収納できるよう形状に形成されている。
【００２６】
また、ケース１１には、左右の側面部１１ｄ，１１ｅに跨がって調整ねじ１４が設けられており、この調整ねじ１４を締めたり緩めたりすることにより、ケース１０の左右の側面部１１ｄ，１１ｅの幅、すなわち収納幅が調節されて、拳銃５０をケース１１に収納する際のケース１１が拳銃５０を押さえつける力を調節することができる。そして、ケース１１の収納幅を調整することによって、ケース１１の拳銃５０に対する保持力を調整でき、拳銃５０がケース１１内でガタ付くのを抑制できる。
【００２７】
さらに、ケース１１には、底面部１１ａの外側中央部にスプリング掛け止め部１５が設けられ、各側面部１１ｄ，１１ｅの外面で、かつ、底面部１１ａ側へ偏った前後の位置には、この外面からケース本体１２側に各々突出するようにして１対のガイドピン１６ａ，１６ｂが設けられている。
【００２８】
次に、ケース本体１２について説明する。ケース本体１２は、図１、図２及び図３に示すように、底面部１２ａと、前面部１２ｂと、上面部１２ｃと、左右の側面部１２ｄ，１２ｅを有し、かつ後面にケース１１及び拳銃５０を収納する開口１７を設けて、略コの字状の断面をした概略箱状に形成され、拳銃５０をケース１１に収納して閉鎖位置に配置した際、拳銃５０の撃鉄部５２を覆って、砂、水、泥等がケース１１内に入らないよう形成されている。また、上面部１２ｃの一部１２ｆは、図１及び図４に示すように突起部５６の後側に配置されて拳銃５０の脱落を保護する機能を持つ。一方、後述するようにしてケース１１がケース本体１２に対して上下方向にスライド及び前後方向に回動されて、該ケース１１が開放位置の状態（図６参照）に配置されると、拳銃５０をケース１１の開口１３から取り出すことができる。
【００２９】
また、ケース本体１２には、ケース１１のスプリング掛け止め部１５に対応して、底面部１２ａの内側中央部にスプリング掛け止め部１８が設けられている。そして、ケース本体１２の底面部１２ａとケース１１の底面部１１ａの間には、両端部をスプリング掛け止め部１５，１８に付勢部材としての圧縮スプリング１９が取り付けられている。圧縮スプリング１９は、ケース１１がケース本体１２の上面部１２ｃ側に向かって移動する力を常に付与している。
【００３０】
ケース本体１２の左右の側面部１２ｄ，１２ｅには、１対のガイド溝２０ａ，２０ｂが、ケース１１の１対のガイドピン１６ａ，１６ｂに各々対応して設けられている。
【００３１】
左右の各側面部１１ｄ，１１ｅに設けている１対のガイドピン１６ａ，１６ｂと左右の各側面部１２ｄ，１２ｅに設けている１対のガイド溝２０ａ，２０ｂは、ケース１１の開口１３を覆って拳銃５０を取り出し不可能な閉鎖位置(図１及び図４参照)から拳銃５０を取り出し可能な開放位置(図６参照)にガイドするガイド部２１ａ，２１ｂを構成しているものである。そして、ケース１１がケース本体１２に取り付けられるとき、ガイドピン１６ａをガイド溝２０ａ内にスライド可能に係合させるとともに、ガイドピン１６ｂをガイド溝２０ｂ内にスライド可能に係合させて取り付けられる。すなわち、ケース１１とケース本体１２は、ガイド部２１ａ，２１ｂ及び圧縮スプリング１９を介して回動可能及びスライド可能に連結結合されている。
【００３２】
ガイド溝２０ａ，２０ｂは、ケース１１が閉鎖位置に対応配置されているとき、ケース本体１２に対してケース１１が上下方向にスライドするのを許容する第１ガイド溝部２２ａ，２２ｂと、ケース１１が開放位置に対応配置されているとき、ケース本体１２に対してケース１１が上下方向にスライドするのを許容する第２ガイド溝部２３ａ，２３ｂと、第１ガイド溝部２２ａ，２２ｂと第２ガイド溝部２３ａ，２３ｂを連結している連結ガイド溝部２４ａ，２４ｂを一体に有して、正面視概略上向きコの字状に形成されている。なお、第１ガイド溝部２２ａ，２２ｂはケース本体１２の前面部１２ｂに対し所定の間隔で形成され、第２ガイド溝部２３ａ，２３ｂはケース本体１２の前面部１２ｂに対し後側に傾斜して形成され、連結ガイド溝部２４ａ，２４ｂはケース本体１２の前面部１２ｂから後面側に向かって下るように傾斜して形成されている。
【００３３】
ケース本体１２の内側において、前面部１２ｂの内面上部には、この前面部１２ｂの内面との間に少なくともケース１１の前面部１１ｂの肉厚よりも僅かに大きく、ケース１１の開口１３の縁部が差し込み可能な隙間Ｘを先端側に設けて、ケース本体１２の底面部１２ａ側に向かって突出するようにして係合部材２５が設けられている。この係合部材２５は、ケース１１がケース本体１２内で上方に移動し、ガイドピン１６ａ，１６ｂが第１ガイド溝部２２ａ，２２ｂ内の上部、すなわち、閉鎖位置に配置されているとき、ケース１１の前面部１１ｂが係合部材２５と前面部１２ｂとの間の隙間Ｘに差し込まれ、ケース１１がケース本体１２に対して後面側に回動するのを規制する。これに対して、ガイドピン１６ａ，１６ｂがケース本体１２内で下方に移動し、ガイドピン１６ａ，１６ｂが第１ガイド溝部２２ａ，２２ｂ内の下方に移動されると、ケース１１の前面部１１ｂが係合部材２５と前面部１２ｂとの間の隙間Ｘから抜け出し、ケース１１がケース本体１２に対して後面側に回動するのを許容するようになる。
【００３４】
次に、この拳銃用ホルスタ１０の作用を説明する。図１及び図４は、ケース１１に拳銃５０の銃身５３が収納されており、かつ、ケース１１と共に閉鎖位置に配置されている状態を示している。この状態では、ケース１１は、圧縮スプリング１９の押し上げ力により上方に押し上げられ、ガイドピン１６ａ，１６ｂが第１ガイド溝部２２ａ，２２ｂの上端部まで移動し、かつ、ケース１１の前面部１１ｂが係合部材２５と前面部１２ｂの間の隙間Ｘに差し込まれたロック状態にある。
【００３５】
また、拳銃５０は、グリップ５１を除く殆どの部分がケース１１と共にケース本体１２に収納されており、ケース本体１２は拳銃５０の撃鉄部５２及び突起部５６を覆い、上面部１２ｃの一部１２ｆが突起部５６の後側に係合されている。すなわち、閉鎖位置では、係合部材２５とケース１１の前面部１１ｂ、及び拳銃５０の突起部５６とケース本体１２の一部１２ｆ、並びにガイドピン１６ａ，１６ｂと第１ガイド溝部２２ａ，２２ｂがそれぞれ係合し、また、この係合状態が圧縮スプリング１９の付勢によって保持されている。したがって、この閉鎖位置では、それら係合部材２５とケース１１の前面部１１ｂ、及び拳銃５０の突起部５６とケース本体１２の一部１２ｆ、並びにガイドピン１６ａ，１６ｂと第１ガイド溝部２２ａ，２２ｂの、各係合ロックにより三重にロックされた状態にあり、不用意に拳銃５０が後側に回動操作されて取り出されるのを防止できる。
【００３６】
この状態から拳銃５０を取り出す場合は、拳銃５０のグリップ５１を握り、図５に二点鎖線で示すように、圧縮スプリング１９の付勢力に打ち勝つ押圧力で拳銃５０を押下する。これによって、ケース１１が拳銃５０と共に下方に移動し、ガイドピン１６ａ，１６ｂが第１ガイド溝部２２ａ，２２ｂの下端から連結溝部２４ａ，２４ｂ内を通って、図５に実線で示すように第２ガイド溝部２３ａ，２３ｂの下端まで移動する。これにより、係合部材２５とケース１１の前面部１１ｂの係合、及び、突起部５６と上面部１２ｃの一部１２ｆの係合がそれぞれ解かれる。また、ケース１１を拳銃５０と共に後側に回動させて傾け、ケース１１から拳銃５０を引き抜くことができる位置まで回動させることができる。
【００３７】
続いて、ケース１１を拳銃５０と共に後側に回動させ、さらにケース１１から拳銃５０を引き抜くと、ケース１１を押下していた力が無くなり、ケース１１が圧縮スプリング１９の付勢力で上方に押し戻される。そして、図６に実線で示すように、ガイドピン１６ａ，１６ｂが第２ガイド溝部２３ａ，２３ｂの下端から第２ガイド溝部２３ａ，２３ｂの上端、すなわち開放位置まで移動し、その開放状態がガイドピン１６ａ，１６ｂと第２ガイド溝部２３ａ，２３ｂの係合及び圧縮スプリング１９の付勢によって保持される。これにより、ケース１１が開放位置にロックされ、拳銃５０を容易に抜き差しすることができるようになる。
【００３８】
一方、拳銃５０を収納する場合は、この反対の動作をたどることにより、再び図１及び図４に示す閉鎖位置に配置させることができる。
【００３９】
したがって、本実施形態の拳銃用ホルスタ１０によれば、拳銃５０を圧縮スプリング１９の付勢力に抗して押下し、その後、後側に回動させて引き抜くというワンアクションだけで拳銃５０を抜くことができる。また、拳銃５０を収めるときには、開放位置にあるケース１１に拳銃５０を収納して押下し、その後、前側に回動させて押下を解くというワンアクションだけで、ケース１１を拳銃５０と共にケース本体１２の閉鎖位置に移動して簡単にロックすることがきるので、操作性が大幅に向上する。
【００４０】
また、ケース本体１２はケース１１の開口１３を覆うように形成されているため、ケース１１及びケース本体１２によって拳銃５０の銃口５４を含め、拳銃５０の重要な機構部分である撃鉄部５２、銃身５３、引き金部５５を極力覆うことができ、内部への砂、水、泥等の浸入を防止することができるので、拳銃５を保護することができる。
【００４１】
また、ガイド溝２０ａ，２０ｂは、第１ガイド溝部２２ａ，２２ｂの下端部から第２ガイド溝部２３ａ，２３ｂの下端部分に向かって下る連結ガイド溝部２４ａ，２４ｂを有する概略上向きコ字形に設けているので、閉鎖位置に配置されているケース１１を拳銃５０と共に圧縮スプリング１９の付勢力に抗して押下すると、ガイドピン１６ａ，１６ｂが第１ガイド溝部２２ａ，２２ｂの下端部と連結ガイド溝部２４ａ，２４ｂを通って第２ガイド溝部２３ａ，２３ｂの下端部分まで自動的に移動される。そして、ケース１１及び拳銃５０を押下している力を解くと、ガイドピン１６ａ，１６ｂが第２ガイド溝部２３ａ，２３ｂ内の移動を開始し、ケース１１及び拳銃５０が開放位置に向かって移動するため、拳銃５０を簡単、かつ、素早く抜くことができ、操作性がより一層向上する。
【００４２】
また、ケース本体１２は、ケース１１の外形を覆うように形成されているので、拳銃の意図しない操作を防止できる。
【００４３】
なお、上記実施の形態では、ガイド溝２０ａ，２０ｂを、第１ガイド溝部２２ａ，２２ｂと、第２ガイド溝部２３ａ，２３ｂと、連結ガイド溝部２４ａ，２４ｂを設けて、概略上向きコ字形に形成してなる構造を開示したが、連結ガイド溝部２４ａ，２４ｂは設けずに、第１ガイド溝部２２ａ，２２ｂと第２ガイド溝部２３ａ，２３ｂとで概略上向きＶ字形に形成することも可能である。
【００４４】
また、ガイド部２１を前後方向に離して２つ設けた構造を開示したが、１つのガイド部２１を設けた構造であってもよい。
【００４５】
さらに、ガイドピン１６ａ，１６ｂをケース１１側に設け、ガイド溝２０ａ，２０ｂをケース本体１２側に設けた構造を開示したが、逆に、ガイドピン１６ａ，１６ｂをケース本体１２側に設け、かつ、ガイド溝２０ａ，２０ｂをケース１１側に設けた構造としてもよい。
【００４６】
また、さらにガイドピン１６ａ，１６ｂとガイド溝２０ａ，２０ｂとの接触を滑らかにするのに、ガイドピン１６ａ，１６ｂにベアリング等を取り付け、ガイドピン１６ａ，１６ｂとガイド溝２０ａ，２０ｂをベアリングを介して接触させるようにしてもよい。
【００４７】
付勢部材として圧縮スプリング１９をケース１１とケース本体１２に、掛け止部１８，１９を介して取り付け、ケース１１をケース本体１２の上面部１２ｃ側に付勢する構造を開示したが、この付勢部材をケース本体１２の左右の側面部１２ｄ，１２ｅに設けられたガイド溝２０ａ，２０ｂ内部に取り付け、ケース１１の側面部１１ｄ，１１ｅに設けられたガイドピン１６ａ，１６ｂをケース本体１２の上面部１２ｃ側へ付勢する構造とし、ケース１１をケース本体１２の上面部１２ｃ側に付勢するようにしてもよい。
【００４８】
以上、実施形態を用いて本発明を説明したが、本発明の技術的範囲は上記実施形態に記載の範囲には限定されないことは言うまでもない。上記実施形態に、多様な変更または改良を加えることが可能であることが当業者に明らかである。またその様な変更または改良を加えた形態も本発明の技術的範囲に含まれ得ることが、特許請求の範囲の記載から明らかである。
【符号の説明】
【００４９】
１０      拳銃用ホルスタ
１１      ケース
１２      ケース本体
１３      開口
１６ａ，１６ｂ    ガイドピン
１７      開口
１９      圧縮スプリング(付勢部材)
２０ａ，２０ｂ    ガイド溝
２１ａ, ２１ｂ      ガイド部
２２ａ，２２ｂ    第１ガイド溝部
２３ａ，２３ｂ    第２ガイド溝部
２４ａ，２４ｂ    連結ガイド溝部
２５      係合ロック部材
５０      拳銃
５１      グリップ
５２      撃鉄部
５３      銃身
５４      銃口
５５      引き金部
５６      突起部
【図１】
2011208849.tif 000003
【図２】
2011208849.tif 000004
【図３】
2011208849.tif 000005
【図４】
2011208849.tif 000006
【図５】
2011208849.tif 000007
【図６】
2011208849.tif 000008